(57)【要約】  家具本体（４）の中の可動家具部（３）のための押出具（２）を固定するための固定装置（１）であって、固定装置は、２つの側部保持部材（５）により家具本体（４）の側壁（６）に固定されることのできる横断部材（７）を有しており、ここで、横断部材（７）は保持部材（５）に開放可能に連結されている。【選択図】  図１ａ
2010518909.tif 000002
【特許請求の範囲】
【請求項１】
家具本体の中の移動可能な家具部品のための押出具を固定するための固定装置であって、前記固定装置は、２つの側部保持部材によって前記家具本体の側壁に固定することができる横断部材を有しており、
前記横断部材が前記保持部材に開放可能に連結されており、且つ押出具が前記横断部材に固定されていることを特徴とする固定装置。
【請求項２】
前記保持部材（５）は、留め金による連結によって前記横断部材（７）に連結されていることを特徴とする請求項１に記載の固定装置。
【請求項３】
前記横断部材（７）上に、前記押出具（２）を固定するために、長手軸方向に外形を形成されている部品（８）が、好ましくは前記横断部材（７）に開放可能に連結されて配置されていることを特徴とする請求項１又は２に記載の固定装置。
【請求項４】
１つの背面と、前記背面に対して実質的に直角方向で伸張しかつ互いに平行に伸張する２つの側壁とを有する家具本体において、
請求項１乃至３のいずれか１項に記載の横断部材（７）が、前記背面から所定の距離だけ離れた位置で、前記側壁（６）に固定されていることを特徴とする家具本体。
【請求項５】
引き出しのための引き抜きガイド部材の家具本体レール（９）が前記側壁（６）に取り付けられており、
前記固定装置（１）の前記保持部材（５）は前記家具本体レール（９）の後端に当接していることを特徴とする請求項４に記載の家具本体。
【請求項６】
請求項１乃至３のいずれか１項に記載の固定装置のための保持部材であって、
前記保持部材（５）が、前記横断部材（７）のために留め金による連結を備えていることを特徴とする保持部材。
【請求項７】
前記保持部材（５）は、前記家具本体（４）に固定するための側部要素（１１）と、前記横断部材（７）に連結するために前記側部要素（１１）に対して実質的に直角に突出する交差要素（１２）とを備えていることを特徴とする請求項６に記載の保持部材。
【請求項８】
前記保持部材（５）は、好ましくはその交差要素（１２）上に、幅の許容誤差を補償するために、格子（１３）を備えていることを特徴とする請求項６又は７に記載の保持部材。
【請求項９】
垂れ部（１６）が、前記側部要素（１１）上で形成されており、または前記側部要素（１１）に開放可能に固定されていることを特徴とする請求項７又は８に記載の保持部材。
【請求項１０】
前記垂れ部（１６）と、前記側部要素（１１）の残りの部分との間に、規格上の切断箇所（１７）が形成されていることを特徴とする請求項９に記載の保持部材。
【請求項１１】
前記保持部材（５）は、前記移動可能な家具部品（３）のための緩衝器（１５）を備えていることを特徴とする請求項６乃至１０のいずれか１項に記載の保持部材。
【発明の詳細な説明】
【技術分野】
【０００１】
本発明は、家具本体の中の移動可能な家具部品のための押出具を固定するための固定装置であって、２つの側部保持部材により家具本体の側壁に固定することのできる横断部材を有する固定装置に関する。
【背景技術】
【０００２】
この種の固定装置は、例えば、特許文献１の図５および図６に開示されている。
【０００３】
特許文献１で開示された固定装置は、全体として、家具本体の中に取り付けられねばならないという欠点を有する。固定装置は、家具本体の幅全体にわたって伸びているので、取り付け操作時には、固定装置が家具本体に確実にまっすぐに取り付けられるように、格別な注意を払わねばならない。これは、固定装置が長いことにより、より困難になる。
【先行技術文献】
【特許文献】
【０００４】
【特許文献１】国際公開第２００６／０１７８６５号パンフレット
【発明の概要】
【発明が解決しようとする課題】
【０００５】
本発明の目的は、より容易に家具本体に取り付けることができるように、この種の問題となる固定装置をさらに発展させることにある。
【課題を解決するための手段】
【０００６】
この問題は、請求項１の特徴を有する固定装置により解決される。
【０００７】
横断部材が保持部材に開放可能に連結されることで、取り付け過程の開始時に、保持部材を家具本体の側壁に別々に固定し、その後で初めて横断部材を保持部材に連結させることが可能となる。
【０００８】
これにより、固定装置を家具本体の中に、より単純にかつより精確に取り付けることができる。
【０００９】
本発明のさらなる有利な実施形態は、従属請求項の中に定義されている。
【００１０】
保持部材が留め金による連結（スナップ式連結）により横断部材に連結されることにより、取り付けはさらに単純になる。従来技術の押出具は、しばしば、工具を用いずに、長手軸方向（縦方向）に外形（輪郭）を形成された部品に固定するように設計されている。この種の押出具は、本発明によれば、押出具を変更することなく、固定装置の横断部材にも又固定可能であることが望ましい。そこで、本発明のさらなる実施形態では、横断部材上に押出具を固定するために、長手軸方向に外形を形成された部品が、好ましくは横断部材に対して開放可能に連結されて設けられている。
【００１１】
本発明は、１つの背面と、背面に対して実質的に直角方向で伸張しかつ互いに平行に伸張する２つの側壁とを有する家具本体にも関する。この背面は、必ずしも必須ではないが、背面壁によって覆われることができる。
【００１２】
この種の家具本体の中には、異なる規格上の長さ（公称長さ）を有する引き出しが組み込まれることができる。その時、全ての押出具を、家具本体の背面に配置されかつ家具本体の高さにわたって伸張する、外形を形成された単一の部品上に置くことはできない。
【００１３】
このような場合、本発明に係る固定装置により、上述の実施形態のうちの１つによる横断部材が、家具本体の背面からある距離分だけ離れた位置で、家具本体の側壁に固定されていれば、規格上の長さがより小さい引き出しのための押出具の固定が可能である。
【００１４】
このような場合、もしも押し出されるべき引き出しのための引き抜きガイド部材である家具本体レールが、すでに側壁に取り付けられていれば、固定装置の保持部材が家具本体レールの後端に当接することができるので、固定装置の保持部材の側壁への装備は、容易になされる。
【００１５】
上述の実施形態のうちの１つによる固定装置の保持部材にも、保護が求められるが、ここでは、保持部材が、横断部材のために留め金による連結（スナップ式連結）を有することが特徴となる。
【００１６】
構造的に単純である保持部材を設計する場合、保持部材は、家具本体に固定するための側部要素と、横断部材に連結するために、側部要素に対して実質的に直角に突出する交差要素とを有する。保持部材は、好ましくはその交差要素上に、家具本体に対する横断部材の幅の許容誤差を補償するために、格子を有することができる。
【００１７】
押し出されるべき引き出しの高さが一部異なるために、垂れ部（フラップ）が、側部要素上に形成されているか、または、側部要素に開放可能に固定されている場合、それは有利である。
【００１８】
通常、保持部材は、側部要素の自由端が、引き出しの引き抜き装置である家具本体レールに当接するように配置されているので、規格上の高さ（公称高さ）が小さい引き出しの場合には、垂れ部を取り除き、これにより、押出具を引き出しの背面壁に対して正しい高さで配置することが可能となる。
【００１９】
側部要素に垂れ部が形成されている場合、好ましくは、垂れ部と、側部要素の残りの部分との間に、垂れ部の為の規格上の切断箇所が形成されている。
【００２０】
引き出しのための押出具のタッチラッチ操作（接触によって逆方向に開放される操作）に関しては、引き出しが家具部の中の閉鎖端位置にある場合でも、規定の押し込み通路を使えるようにするために、更なる有利な実施形態によれば、保持部材は、移動可能な家具部品のための緩衝器を有する。
【００２１】
本発明の更なる利点および詳細に関しては、図面とこれに関連する記載とから明らかになるであろう。
【図面の簡単な説明】
【００２２】
【図１ａ】本発明の固定装置の取り付け前の斜視図である。
【図１ｂ】本発明の固定装置の取り付け後の斜視図である。
【図２】図１ａおよび図１ｂに示した固定装置を取り付けた状態で備えた家具を示す図である。
【図３ａ】図２で示した家具の縦断面図である。
【図３ｂ】図２で示した家具の平面図である。
【図４】取り付け状態にある固定装置の詳細図である。
【図５】固定装置が取り付けられている家具の側壁の平面図である。
【図６ａ】様々な状態にある本発明の保持部材を示す図である。
【図６ｂ】様々な状態にある本発明の保持部材を示す図である。
【図６ｃ】様々な状態にある本発明の保持部材を示す図である。
【発明を実施するための形態】
【００２３】
図１ａは、固定装置１を示す。この固定装置１は、本実施形態では、横断部材７と、２つの側部保持部材５と、押出具２を固定するために長手軸方向に外形を形成された部品８とからなる。図１ａは、図１ａおよび図１ｂには図示されない家具本体４に取り付けられる固定装置１を示す。しかし、取り付け方法として、最初に、全ての保持部材５が、例えばねじ１０などにより、家具本体４の側壁６に固定されており、その後初めて、横断部材７が側部保持部材５の中に、留め金によって連結される。その後、外形を形成された部品８が、横断部材７上に留め金によって連結される。最後に、押出具２が外形を形成された部品８上に留め金によって連結される。
【００２４】
図２は、２つの側壁６を有する家具本体４を備えた一つの家具を示す。本実施形態では、固定装置１においては、横断部材７が、家具本体４の背面から所定の距離だけ離れているように取り付けられている。これにより、押出具２は、規格上の長さがより短い引き出しの形態を有する移動可能な家具部品３（以下、可動家具部３とも言う）と接触可能となる。
【００２５】
図３ａおよび図３ｂは、図２で示した家具を示すが、この図から、可動家具部３の規格上の長さが、家具本体４の深さよりも短いことが明確に示される。
【００２６】
図４には、側部保持部材５が、取り付け状態では、図２および図３で示した引き出しのための引き抜きガイド部材の家具本体レール９に対して当接していることが示される。
【００２７】
図５は、別の方向から見たこの部分の図を示す。
【００２８】
図６ａ〜図６ｃは、本発明の保持部材を示す斜視図である。
【００２９】
図６ａは、本実施形態では、保持部材５が、家具本体４に固定するための側部要素１１、および、この側部要素１１に対して直角に突出する交差要素１２を有するところを示す。この交差要素１２上には、幅の許容誤差を補償するために格子１３が形成されている。保持部材５はまた、可動家具部３のための図６ｃに図示される緩衝器のための受容開口１４を有する。
【００３０】
図６ａでは、側部要素１１上であって且つ規格上の切断箇所１７を越えたところに、垂れ部１６が形成されている。この垂れ部１６は、図６ｂおよび図６ｃでは折り取られており、その結果、側部保持部材５は、図６では図示されない家具本体レール９に対して、より低い位置に配置されることができる。
【００３１】
図示した以外で、例えば、スナップ式連結により、垂れ部１６を側部要素１１に対して開放可能に固定してもよい。
【符号の説明】
【００３２】
１  固定装置
２  押出具
３  移動可能な家具部品（可動家具部）
４  家具本体
５  保持部材
６  側壁
７  横断部材
【図１ａ】
2010518909.tif 000003
【図１ｂ】
2010518909.tif 000004
【図２】
2010518909.tif 000005
【図３ａ】
2010518909.tif 000006
【図３ｂ】
2010518909.tif 000007
【図４】
2010518909.tif 000008
【図５】
2010518909.tif 000009
【図６ａ】
2010518909.tif 000010
【図６ｂ】
2010518909.tif 000011
【図６ｃ】
2010518909.tif 000012
【国際調査報告】
2010518909.tif 000013
2010518909.tif 000014
2010518909.tif 000015
2010518909.tif 000016